(57)【要約】【課題】設置作業の効率を向上させることができる表示装置及びテレビジョン受信機を提供する。【解決手段】筐体と、該筐体の姿勢を検出する検出部と、該検出部が検出した前記筐体の姿勢を画面２１に表示する表示部２とを備える表示装置であって、表示部２は前記検出部が検出した前記筐体の姿勢を画面２１における複数の位置に夫々表示するように構成してある。本願に係る表示装置によれば、設置作業の効率を向上させることができる。【選択図】図３
2014072771.tif 000002
【特許請求の範囲】
【請求項１】
筐体と、
該筐体の姿勢を検出する検出部と、
該検出部が検出した前記筐体の姿勢を画面に表示する表示部と
を備える表示装置において、
前記表示部は前記検出部が検出した前記筐体の姿勢を前記画面における複数の位置に夫々表示するようにしてある
ことを特徴とする表示装置。
【請求項２】
前記筐体の姿勢を受け付ける受付部を備え、
前記表示部は前記受付部が受け付けた前記筐体の姿勢及び前記検出部が検出した前記筐体の姿勢を前記画面における複数の位置に夫々表示するようにしてある
ことを特徴とする請求項１に記載の表示装置。
【請求項３】
前記検出部が検出した前記筐体の姿勢から前記受付部が受け付けた前記筐体の姿勢への変更を案内する案内情報を生成する生成部を備え、
前記表示部は前記生成部が生成した案内情報を前記画面における複数の位置に夫々表示するようにしてある
ことを特徴とする請求項２に記載の表示装置。
【請求項４】
前記生成部は前記画面に表示される位置に応じて異なる前記案内情報を生成するようにしてあり、
前記表示部は前記生成部が生成した異なる前記案内情報を夫々表示するようにしてある
ことを特徴とする請求項３に記載の表示装置。
【請求項５】
前記検出部は、
所定方向に対する前記筐体の運動を検出する検出器と、
前記検出器が検出した前記筐体の運動に基づいて、前記筐体の姿勢を算出する算出部と
を有し、
前記生成部は、前記算出部が算出した前記筐体の姿勢に基づいて、前記案内情報を生成するようにしてある
ことを特徴とする請求項３又は請求項４に記載の表示装置。
【請求項６】
前記生成部は前記案内情報として前記筐体の姿勢を変更するための方向を示す印又は文字列を生成するようにしてある
ことを特徴とする請求項３から請求項５までのいずれか一項に記載の表示装置。
【請求項７】
前記算出部が算出した前記筐体の姿勢を記憶する記憶部を備え、
前記生成部は前記算出部が算出した前記筐体の姿勢から前記記憶部が記憶した前記筐体の姿勢への変更を案内する案内情報を生成するようにしてある
ことを特徴とする請求項５に記載の表示装置。
【請求項８】
請求項１から請求項７までのいずれか一項に記載の表示装置と、
テレビジョン放送に係る画像信号を受信する受信部と
を備え、
前記表示部は前記受信部が受信した画像信号に係る画像を前記画面に表示するようにしてある
ことを特徴とするテレビジョン受信機。
【発明の詳細な説明】
【技術分野】
【０００１】
本発明は、表示装置及びテレビジョン受信機に関する。
【背景技術】
【０００２】
自身の姿勢を表示する表示部を備えた装置がある（例えば、特許文献１、２参照）。特許文献１に係る傾斜感知装置は、水準器を備え、当該水準器が検出した値を図形又は記号として表示部に表示する。特許文献２に係る撮像装置は、加速度センサを備え、加速度センサが検出した加速度に基づいて、自身の傾斜を水準器画像として表示部に表示する。
【０００３】
表示装置を壁等に一定の姿勢で設置する場合、設置作業を補助するために、表示装置の姿勢に関する情報を表示装置が有する画面にＯＳＤ（On-Screen Display）表示することが考えられる。特許文献１、２に開示された技術を応用する場合、表示装置の姿勢に関する情報は、画面の一部に表示される。
【先行技術文献】
【特許文献】
【０００４】
【特許文献１】特開平６−１１３４３号公報
【特許文献２】特開２０１１−７８００２号公報
【発明の概要】
【発明が解決しようとする課題】
【０００５】
ところで、表示装置が大型である場合、複数の作業者が表示装置の例えば両脇の片方ずつを保持することにより、設置作業は行われる。そのため、表示装置の姿勢に関する情報が画面の一部に表示されただけでは、作業者の全員が当該情報を視認できるとは限らない。作業者各人が設置作業を中断して、その都度表示装置の姿勢に関する情報を確認していたのでは、設置作業の効率が悪くなる。
【０００６】
本発明は、かかる事情に鑑みてなされたものである。その目的は、設置作業の効率を向上させることができる表示装置及びテレビジョン受信機を提供することにある。
【課題を解決するための手段】
【０００７】
本願に係る表示装置は、筐体と、該筐体の姿勢を検出する検出部と、該検出部が検出した前記筐体の姿勢を画面に表示する表示部とを備える表示装置において、前記表示部は前記検出部が検出した前記筐体の姿勢を前記画面における複数の位置に夫々表示するようにしてあることを特徴とする。
【０００８】
本願に係る表示装置では、筐体の姿勢を検出する検出部を備えている。表示部は、検出部が検出した筐体の姿勢を画面における複数の位置に夫々表示する。
【０００９】
本願に係る表示装置は、前記筐体の姿勢を受け付ける受付部を備え、前記表示部は前記受付部が受け付けた前記筐体の姿勢及び前記検出部が検出した前記筐体の姿勢を前記画面における複数の位置に夫々表示するようにしてあることを特徴とする。
【００１０】
本願に係る表示装置では、筐体の姿勢を受け付ける受付部を備えている。表示部は受付部が受け付けた筐体の姿勢と、検出部が検出した筐体の姿勢を画面における複数の位置に夫々表示する。
【００１１】
本願に係る表示装置は、前記検出部が検出した前記筐体の姿勢から前記受付部が受け付けた前記筐体の姿勢への変更を案内する案内情報を生成する生成部を備え、前記表示部は前記生成部が生成した案内情報を前記画面における複数の位置に夫々表示するようにしてあることを特徴とする。
【００１２】
本願に係る表示装置では、検出部が検出した筐体の姿勢から、受付部が受け付けた筐体の姿勢への変更を案内する案内情報を生成する生成部を備えている。表示部は、生成部が生成した案内情報を画面における複数の位置に夫々表示する。
【００１３】
本願に係る表示装置は、前記生成部は前記画面に表示される位置に応じて異なる前記案内情報を生成するようにしてあり、前記表示部は前記生成部が生成した異なる前記案内情報を夫々表示するようにしてあることを特徴とする。
【００１４】
本願に係る表示装置では、生成部は画面に表示される位置に応じて異なる案内情報を生成する。表示部は、生成部が生成した異なる案内情報を、画面における複数の位置に夫々表示する。
【００１５】
本願に係る表示装置は、前記検出部は、所定方向に対する前記筐体の運動を検出する検出器と、前記検出器が検出した前記筐体の運動に基づいて、前記筐体の姿勢を算出する算出部とを有し、前記生成部は、前記算出部が算出した前記筐体の姿勢に基づいて、前記案内情報を生成するようにしてあることを特徴とする。
【００１６】
本願に係る表示装置では、検出部は、検出器と算出部とを有する。検出器は、所定方向に対する筐体の動きを検出する。算出部は、検出器が検出した筐体の動きに基づいて、筐体の姿勢を算出する。生成部は、算出部が算出した筐体の姿勢から、受付部が受け付けた筐体の姿勢への変更を案内する案内情報を生成する。
【００１７】
本願に係る表示装置は、前記生成部は前記案内情報として前記筐体の姿勢を変更するための方向を示す印又は文字列を生成するようにしてあることを特徴とする。
【００１８】
本願に係る表示装置では、生成部は、検出部が検出した筐体の姿勢から、受付部が受け付けた筐体の姿勢への変更を案内する案内情報として、筐体の姿勢を変更するための印又は文字列を生成する。
【００１９】
本願に係る表示装置は、前記算出部が算出した前記筐体の姿勢を記憶する記憶部を備え、前記生成部は前記算出部が算出した前記筐体の姿勢から前記記憶部が記憶した前記筐体の姿勢への変更を案内する案内情報を生成するようにしてあることを特徴とする。
【００２０】
本願に係る表示装置では、算出部が算出した筐体の姿勢を記憶する記憶部を備えている。生成部は、算出部が算出した筐体の姿勢から記憶部が記憶した筐体の姿勢への変更を案内する案内情報を生成する。
【００２１】
本願に係るテレビジョン受信機は、上記に記載の表示装置と、テレビジョン放送に係る画像信号を受信する受信部とを備え、前記表示部は前記受信部が受信した画像信号に係る画像を前記画面に表示するようにしてあることを特徴とする。
【００２２】
本願に係るテレビジョン受信機では、上記の表示装置と、テレビジョン放送に係る画像信号を受信する受信部とを備えている。表示装置の表示部は、受信部が受信した画像信号に係る画像を画面に表示する。
【発明の効果】
【００２３】
本願に係る表示装置及びテレビジョン受信機によれば、設置作業の効率を向上させることができる。
【図面の簡単な説明】
【００２４】
【図１】テレビジョン受信機の概略斜視図である。
【図２】テレビジョン受信機の構成例を示すブロック図である。
【図３】筐体の姿勢を示す画像の一例に関する説明図である。
【図４】筐体の姿勢を示す画像の一例に関する説明図である。
【図５】筐体の姿勢を目標姿勢に近づけるための案内情報の一例に関する説明図である。
【図６】筐体の姿勢を目標姿勢に近づけるための案内情報の一例に関する説明図である。
【発明を実施するための形態】
【００２５】
本願に係る一実施例の表示装置は、テレビジョン受信機、チューナに接続して使用されるモニタ、コンピュータに接続して使用されるモニタ、デジタルサイネージに利用されるディスプレイ等を含む。以下では、表示装置の一例として、テレビジョン受信機を実施の形態に関する図面に基づいて説明する。
本実施の形態に係るテレビジョン受信機は、大型画面を有している。本実施の形態に係るテレビジョン受信機は、その大きなサイズのために、複数人により室内の床、壁等に一定の姿勢で設置される。
【００２６】
実施の形態１
図１は、テレビジョン受信機１の概略斜視図である。テレビジョン受信機１は、表示部２、筐体３、リモコン受光部（受付部）４及びスタンドＳを含む。
表示部２は、画像を表示する画面２１を前面に有し、例えば液晶パネルモジュール、有機ＥＬ（Electro Luminescence）パネルモジュール又はプラズマパネルモジュールである。画面２１は、横長矩形状であり、例えば８０インチ以上の大型画面である。なお、テレビジョン受信機１は、画面２１が縦長になるように縦置きで使用することも可能である。
【００２７】
筐体３は、表示部２を収納する箱であり、画面２１の前側周縁部を取り囲むフロントキャビネット３１及び表示部２を後方から覆うバックキャビネット３２を含む。
リモコン受光部４は、例えば赤外線を受光する受光素子である。リモコン受光部４は、外部のリモコン（リモートコントローラ）Ｒから例えば赤外線に搬送された制御信号を受信する。
【００２８】
スタンドＳは、テレビジョン受信機１を床面に設置する場合、テレビジョン受信機１を起立状態で支持する支柱及び板である。なお、テレビジョン受信機１を室内又は室外の壁等に設置する場合、スタンドＳはテレビジョン受信機１から分離される。
テレビジョン受信機１を壁に設置する場合、図示しない壁掛け金具等が使用される。かかる場合、複数人がテレビジョン受信機１の異なる部位を夫々保持することにより、テレビジョン受信機１は、壁に対して一定の姿勢で設置される。
【００２９】
ここで、テレビジョン受信機１が画像を表示する横長矩形状の画面２１に対して視聴者が正対した場合、画面２１から視聴者側を前側又は正面側、その反対である画面２１から奥側を後側又は背面側と呼ぶ。画面２１正面の側方右側を右、画面２１正面の側方左側を左とする。画面２１の長辺方向は、側方向と略一致する。後側からテレビジョン受信機１を見た場合、左右は逆になる。液晶パネル２に対してスタンドＳが配置する方向を下、下の反対方向を上とする。画面２１の短辺方向は、上下方向と略一致する。図１は、テレビジョン受信機１を前側右斜めから示している。
【００３０】
以下、テレビジョン受信機１の前後方向をｚ軸とも呼ぶ。ｚ軸を軸にして、テレビジョン受信機１の左側方が下方に傾くことを左傾斜と呼ぶ。ｚ軸を軸にして、テレビジョン受信機１の右側方が下方に傾くことを右傾斜と呼ぶ。
以下、テレビジョン受信機１の左右方向をｘ軸とも呼ぶ。ｘ軸を軸にして、テレビジョン受信機１の画面２１を上下に傾けることをティルトと呼ぶ。画面２１が下方に向いている場合を下ティルト、画面２１が上方を向いている場合を上ティルトと呼ぶ。
【００３１】
図２は、テレビジョン受信機１の構成例を示すブロック図である。テレビジョン受信機１の各構成部は、バス１ｂ及び各種信号線等を用いて相互に接続されている。テレビジョン受信機１は、受信部１１、外部インタフェース１２、信号処理部１３、画像処理部１４及びスピーカ１５を含む。
受信部１１は、チューナであり、テレビジョン放送に係る画像信号を受信する。受信部１１は、リモコンＲがリモコン受光部４に送信した制御信号に基づいて、受信した画像信号のチャンネルを選局し、選局した画像信号を信号処理部１３へ出力する。受信部１１が受信するテレビジョン放送は、地上デジタル放送、デジタル衛星放送等である。
【００３２】
外部インタフェース１２は、外部から画像信号を入力するコネクタ及びケーブルテレビジョン用チューナを含む。外部インタフェース１２が入力する画像信号は、画像再生装置、ケーブルテレビジョン、ＰＣ（パーソナルコンピュータ）等に係る画像信号である。入力された画像信号がケーブルテレビジョンに係るものである場合、ケーブルテレビジョン用チューナはリモコンＲがリモコン受光部４に送信した制御信号に基づいて、入力されたケーブルテレビジョンのチャンネルを選局する。外部インタフェース１２は、入力した画像信号を信号処理部１３へ出力する。
【００３３】
信号処理部１３は、受信部１１又は外部インタフェース１２から画像信号を受け付け、所定の信号処理を行う。例えば、信号処理部１３は、受け付けた画像信号を画像データと音声データとに分離する。信号処理部１３は、分離後の画像データを画像処理部１４に出力し、分離後の音声データをスピーカ１５に出力する。
信号処理部１３は、後述する検出部５から筐体３の姿勢に関する画像データを入力した場合、当該筐体３の姿勢に関する画像データを画像処理部１４へ出力する。
【００３４】
画像処理部１４は、信号処理部１３から受け付けた画像データに各種の画像処理を施す。画像処理部１４は、例えば筐体３の姿勢に関する画像データを受け付けた場合、当該画像データに係る画像を画面２１における複数の所定位置にＯＳＤ表示する処理を施す。
画像処理部１４は、ＯＳＤ表示処理の他に、例えば画像の高画質化処理、画像の揺れ又はぶれを軽減する処理、画像データのノイズ除去処理等を施す。画像処理部１４は、各種の画像処理を施した画像データを表示部２に出力する。
【００３５】
表示部２は、画像処理部１４から入力された画像データに係る画像を画面２１に表示する。
スピーカ１５は、信号処理部１３から入力された音声データに応じた音声を出力する。
【００３６】
テレビジョン受信機１は、リモコン受光部４、検出部５及び記憶部６を含む。検出部５は、更にセンサ（検出器）５１、センサ検知部５２及びＣＰＵ（生成部、算出部）５３を含む。
リモコン受光部４は、リモコンＲから受信した制御信号をＣＰＵ５３に出力する。
検出部５は、筐体３の姿勢を検出し、検出した筐体３の姿勢に関する画像データを信号処理部１３に出力する。
記憶部６は、書き換え可能な不揮発性の半導体メモリであり、例えばフラッシュメモリ、メモリカード、ＥＰＲＯＭ（Erasable Programmable Read Only Memory）等である。記憶部６は、ＣＰＵ５３が実行するプログラムを記憶している。
【００３７】
センサ５１は、加速度センサであり、例えば互いに直交する３軸方向の加速度を検出する。センサ５１は、検出した３軸の加速度をセンサ検知部５２に出力する。なお、センサ５１は、筐体３に作用する加速度の大きさに比例した電圧を出力する。３軸方向の加速度は、筐体３の動き、すなわち並進運動及び回転運動により筐体３により生じる。従って、加速度を検出することは、筐体３の運動を検出することでもある。
なお、センサ５１は、検出した３軸の加速度をＣＰＵ５３に出力してもよい。また、センサ５１は、ジャイロセンサ、地磁気センサ又は水準器でもよい。
【００３８】
センサ検知部５２は、マイクロコンピュータであり、常にセンサ５１を監視している。センサ検知部５２は、センサ５１から３軸の加速度を受け付けた場合、受け付けた３軸の加速度をＣＰＵ５３に出力する。
センサ検知部５２がセンサ５１とＣＰＵ５３との間に介在することにより、ＣＰＵ５３はセンサ５１を常に監視する必要がない。そのため、センサ検知部５２は、ＣＰＵ５３の負荷を軽減する効果を奏する。例えば、テレビジョン受信機１を壁に設置するとき以外、センサ５１への電源供給を遮断する場合、ＣＰＵ５３が常にセンサ５１を監視することは、意味がない。そこで、センサ５１とＣＰＵ５３との間に、センサ検知部５２を仲介させることにより、ＣＰＵ５３の負荷が軽減される。
【００３９】
すなわち、検出部５は、センサ（検出器）５１が検出した筐体３の運動を受け付け、受け付けた筐体３の運動をＣＰＵ（算出部）５３に出力するセンサ検知部（出力部）５２を有し、ＣＰＵ（算出部）５３は、センサ検知部（出力部）５２から筐体３の運動を入力した場合、筐体３の姿勢を算出するようにしてある、といえる。
【００４０】
ＣＰＵ５３は、テレビジョン受信機１の各構成部を制御するプロセッサである。ＣＰＵ５３は、記憶部６が記憶するプログラムを読み出し、読み出したプログラムを実行する。
【００４１】
ＣＰＵ５３は、センサ検知部５２から３軸の加速度を受け付けた場合、受け付けた加速度に基づいて、例えば鉛直方向に対する筐体３の上下方向をベクトルとして算出する。ＣＰＵ５３は、算出したベクトルから筐体３の姿勢に関する画像データを生成し、生成した画像データを信号処理部１３に出力する。ＣＰＵ５３が生成する画像データは、例えば水準器を模した円形のマークに筐体３の上下方向を示す点をプロットした図形のデータである。
また、ＣＰＵ５３は、算出した筐体３の姿勢に関するベクトルを記憶部６に記憶する。
【００４２】
ユーザは、テレビジョン受信機１を設置する場合、予めリモコンＲから設置後の筐体３の姿勢を目標姿勢としてテレビジョン受信機１に設定する。そこで、ＣＰＵ５３は、筐体３の姿勢に関する画像データに、筐体３の目標姿勢を示す情報を付加してもよい。
【００４３】
次に、テレビジョン受信機１の動作について説明する。以下では、２人の作業者がテレビジョン受信機１を室内の壁に設置するものとする。
まず初めに、ＣＰＵ５３は、筐体３の目標姿勢を入力するための設定画面（図示せず）を表示部２の画面２１に表示させる。ユーザは、リモコンＲを用いて当該設定画面に筐体３の目標姿勢を入力する。ＣＰＵ５３は、入力された筐体３の目標姿勢に関する情報を記憶部６に記憶する。なお、ここでは、筐体３の目標姿勢に関する情報は、ｚ軸に対する傾斜角度が０度、ｘ軸に対するティルト角度が０度であったものとする。つまり、筐体３の目標姿勢は、筐体３の上下方向が鉛直線と略平行である姿勢であったものとする。
【００４４】
２人の作業者は、テレビジョン受信機１の左右端部を保持する。２人の作業者は、壁に設置された金具に、テレビジョン受信機１の背面に固定された金具を係止させる。これにより、テレビジョン受信機１は、壁に設置される。その際、ＣＰＵ５３は、記憶部６に記憶された筐体３の目標姿勢及びセンサ検知部５２が検出した加速度に基づいて、筐体３の目標姿勢及び現在の姿勢を示す画像データを生成し、生成した画像データを信号処理部１３に出力する。
【００４５】
信号処理部１３は、ＣＰＵ５３から入力した画像データを画像処理部１４に出力する。画像処理部１４は、信号処理部１３から入力した画像データに係る画像を画面２１における例えば左端及び右端の中央に夫々ＯＳＤ表示する処理を施す。表示部２は、画像処理部１４がＯＳＤ表示の処理を施した画像データを受け付け、受け付けた画像データに係る画像を画面２１に表示する。
【００４６】
図３は、筐体３の姿勢を示す画像の一例に関する説明図である。画面２１の左右端の中央には、水準器を模した円形マーク７が夫々１つずつ表示されている。円形マーク７には、十字線が重畳されている。十字線は上下方向の縦線と側方向の横線とから構成されており、十字線の交差部は円形マーク７の中心と略一致する。円形マーク７には、筐体３の姿勢を示す黒丸７１及びクロス印７２が含まれる。●の黒丸７１は、筐体３の目標姿勢を示している。×のクロス印７２は、検出部５が検出した筐体３の現在の姿勢を示している。なお、図３では、簡略化のため、表示部２のみを示し、筐体３は省略されている。
【００４７】
円形マーク７の中心は、鉛直線と略平行な方向を示している。いま、筐体３の目標姿勢として、筐体３の上下方向が鉛直線と略平行な姿勢が設定されているため、黒丸７１は、円形マーク７の略中心に位置している。
【００４８】
筐体３の姿勢が左傾斜である場合、クロス印７２は十字線の横線に沿って、円形マーク７の中心から左側に表示される。左傾斜の角度が大きいほど、円形マーク７において中心とクロス印７２との間隔は広くなる。
筐体３の姿勢が右傾斜である場合、クロス印７２は十字線の横線に沿って、円形マーク７の中心から右側に表示される。右傾斜の角度が大きいほど、円形マーク７において中心とクロス印７２との間隔は広くなる。
筐体３の姿勢が下ティルトである場合、クロス印７２は十字線の縦線に沿って、円形マーク７の中心から下側に表示される。下ティルトの角度が大きいほど、円形マーク７において中心とクロス印７２との間隔は広くなる。
筐体３の姿勢が上ティルトである場合、クロス印７２は十字線の縦線に沿って、円形マーク７の中心から上側に表示される。上ティルトの角度が大きいほど、円形マーク７において中心とクロス印７２との間隔は広くなる。
図３におけるクロス印７２は、筐体３の現在の姿勢が左傾斜かつ上ティルトであることを示している。また、図３におけるクロス印７２は、筐体３の現在の姿勢を示す左傾斜角の方が上ティルトの角度より大きいことを示している。
【００４９】
黒丸７１とクロス印７２との対からなる情報は、筐体３の現在の姿勢を目標姿勢に近づけるための案内情報でもある。
２人の作業者は、画面２１に表示された円形マーク７における黒丸７１とクロス印７２との位置を確認し、共同してテレビジョン受信機１の姿勢を変更する。これにより、円形マーク７におけるクロス印７２の位置は変化する。２人の作業者は、画面２１に表示される円形マーク７を見ながら、クロス印７２が黒丸７１の位置に接近するように、テレビジョン受信機１の姿勢を調整する。テレビジョン受信機１の設置作業は、クロス印７２が黒丸７１と重なるとき、終了する。
【００５０】
テレビジョン受信機１の設置作業が終了した場合、ユーザはリモコンＲの所定ボタンを押下する。この動作により、リモコンＲは所定の操作信号をテレビ受信装置１に送信し、ＣＰＵ５３はリモコン受光部４を介して、当該操作信号を受け付ける。ＣＰＵ５３は、当該操作信号を受け付けた場合、筐体３の現在の姿勢、すなわち鉛直方向に対する筐体３の上下方向を示すベクトルを記憶部６に記録する。
【００５１】
図３では、円形マーク７は、画面２１の２カ所に夫々１つずつ表示された。しかし、円形マーク７は、画面２１の３カ所以上の位置に１つずつ表示されてもよい。
また、円形マーク７の表示位置は、画面２１の左右端に限られず、上下端でもよい。あるいは、円形マーク７の表示位置は、特に限定されず、画面２１の全領域でもよい。
【００５２】
ＣＰＵ５３は、算出した筐体３の姿勢に関するベクトルから、ｚ軸に対する傾斜角度及びｘ軸に対するティルト角度を示す数値の文字列が表示される画像データを生成してもよい。あるいは、ＣＰＵ５３は、十字のゲージを模したマークに当該傾斜角度及びティルト角度をプロットした図形が表示される画像データを生成してもよい。
図４は、筐体３の姿勢を示す画像の一例に関する説明図である。図４Ａは、傾斜角度及びティルト角度に関する文字列が画面２１の左右端中央に夫々表示されている一例を示している。図４Ｂは、傾斜角度及びティルト角度がプロットされた十字のゲージマークが画面２１の左右端中央に夫々表示されている一例を示している。なお、図４では、簡略化のため、表示部２のみを示し、筐体３は省略されている。
【００５３】
上述では、黒丸７１は、リモコン受光部４が受け付けた筐体３の目標姿勢を示していた。しかし、黒丸７１は、前回の設置作業が終了した時の筐体３の姿勢を示してもよい。
ユーザは、最初に設定画面から入力した目標姿勢とは異なる姿勢でテレビジョン受信機１を設置する場合がある。その後、ユーザは、テレビジョン受信機１をある壁から別の壁に設置し直すものとする。かかる場合、ユーザは、前回にテレビジョン受信機１を設置した目標姿勢とは異なる姿勢と同じ姿勢で、テレビジョン受信機１を新たな壁に設置したい場合がある。
そこで、ＣＰＵ５３は、前回の設置終了時における筐体３の姿勢を記憶部６から読み出し、読み出した筐体３の姿勢を目標姿勢として、円形マーク７における黒丸７１の位置を設定する。これにより、ユーザは、再び設定画面に目標姿勢を入力することなしに、テレビジョン受信機１を設置する作業を効率的に行うことができる。
なお、ＣＰＵ５３は、前回のテレビジョン受信機１の設置終了時にセンサ５１が検出した加速度を記憶部６に記憶してもよい。ＣＰＵ５３は、次回のテレビジョン受信機１の設置作業時に記憶部６に記憶された加速度に基づいて算出した目標姿勢を円形マーク７における黒丸７１の位置に設定してもよい。
【００５４】
テレビジョン受信機１によれば、テレビジョン受信機１の設置作業の効率を向上させることができる。
円形マーク７が大型の画面２１の例えば中央に１つのみ表示される場合、テレビジョン受信機１の両脇にいる各作業者にとって、円形マーク７までの距離は長く、画面２１に対する円形マーク７の視方向は小さな鋭角となる。そのため、作業者の全員にとって円形マーク７の視認性が悪い。一方、テレビジョン受信機１は、画面２１の複数位置に円形マーク７を１つずつ表示する。これにより、各作業者にとって、円形マーク７までの距離は短く、画面２１に対する円形マーク７の視方向は大きな鋭角となる。そのため、作業者の全員にとって円形マーク７の視認性がよくなる。そして、テレビジョン受信機１の設置作業は効率的になる。すなわち、複数の作業者は、より短時間でより容易にテレビジョン受信機１の設置作業を行うことができる。
【００５５】
実施の形態２
実施の形態２は、筐体３を目標姿勢に調整するために、筐体３の姿勢を変更するための異なる複数の案内情報を、画面２１の異なる位置に夫々表示する形態に関する。
【００５６】
図５は、筐体３の姿勢を目標姿勢に近づけるための案内情報の一例に関する説明図である。なお、図５では、簡略化のため、表示部２のみを示し、筐体３は省略されている。
画面２１の左右端の中央には、矢印マーク８が夫々１つずつ表示されている。画面２１の左端の中央には下向きの矢印マーク８が、画面２１に右端の中央には上向きの矢印マーク８が表示されており、画面２１の位置により、表示される矢印マーク８の向きは異なっている。
【００５７】
いま、筐体３の目標姿勢は、傾斜角度０度、ティルト角度０度であったものとする。つまり、筐体３の目標姿勢は、筐体３の上下方向が鉛直線と略平行である姿勢であったものとする。また、ＣＰＵ５３は、センサ５１が検出した加速度に基づいて、筐体３の現在の姿勢としてティルト角度０度、右傾斜５度を算出したとする。
【００５８】
ＣＰＵ５３は、筐体３の現在の姿勢を目標姿勢に近づける案内情報を作成する。例えば、ＣＰＵ５３は、筐体３の右側を上げ、筐体３の左側を下げる定性的な案内情報を作成する。ＣＰＵ５３は、作成した案内情報に基づいて、画面２１の左端に表示するための矢印マーク８と、画面２１の右端に表示するための矢印マーク８とに関する画像データを生成する。ＣＰＵ５３は、生成した２種類の画像データを、信号処理部１３を介して画像処理部１４に出力する。その際、ＣＰＵ５３は、画像データに対応付けて画面２１における表示位置も出力する。
【００５９】
画像処理部１４は、矢印マーク８に関する２種類の画像データ及び表示位置を受け付け、画面２１の左端中央に下向きの矢印マーク８を、画面２１の右端中央に上向きの矢印マーク８をＯＳＤ表示する処理を画像データに施す。画像処理部１４は、ＯＳＤ表示の処理を施した画像データを表示部２に出力する。表示部２は、画像処理部１４から受け付けた画像データに基づいて、画面２１に画像を表示する。
【００６０】
ＣＰＵ５３は、算出した筐体３の姿勢に関するベクトルに基づいて、各作業者が筐体３の姿勢を目標姿勢へ調整するための異なる文字列を、各作業者が見やすいように、夫々画面２１の異なる位置又は領域に表示される画像データを生成してもよい。
図６は、筐体３の姿勢を目標姿勢に近づけるための案内情報の一例に関する説明図である。なお、図６では、簡略化のため、表示部２のみを示し、筐体３は省略されている。画面２１の左端中央と、画面２１の右端中央に、文字列からなる定性的な案内情報が表示されている。
【００６１】
なお、ＣＰＵ５３は、筐体３の現在の姿勢を目標姿勢に近づける定量的な案内情報を作成してもよい。かかる場合、図６の画面２１において、例えば左端部中央に２度下げる、右端部中央に２度上げるという文字列が表示される。
【００６２】
テレビジョン受信機２によれば、筐体３の姿勢変更に関して異なる複数の案内情報を、各作業者が見やすい画面２１の位置に表示することができる。
例えば図５に示すように、テレビジョン受信機１は、テレビジョン受信機１の左側にいる作業者のために、画面２１の左端に下向きの矢印マーク８を表示する。また、テレビジョン受信機１は、テレビジョン受信機１の右側にいる作業者のために、画面２１の右端に上向きの矢印マーク８を表示する。各作業者にとって、矢印マーク８は自身から近い画面２１の位置に表示されるため、矢印マーク８の視認性は高い。そのため、２人の作業者は、テレビジョン受信機１の設置作業を効率的に行うことができる。
【００６３】
異なる方向を示す複数の矢印マーク８を、画面２１のどの位置に表示するかということは、テレビジョン受信機１の周囲に配置される作業者の人数及び場所に応じてカスタマイズされてよい。そこで、テレビジョン受信機１は、設置作業の初めに画面２１に表示する設定画面で、作業者の人数及び場所を受け付けてもよい。かかる場合、ＣＰＵ５３は、受け付けた作業者の人数及び場所を加味して、案内情報及び画像データを作成すればよい。
【００６４】
実施の形態２は以上の如きであり、その他は実施の形態１と同様であるので、対応する部分には同一の参照番号を付してその詳細な説明を省略する。
【００６５】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００６６】
１    テレビジョン受信機
１１  受信部
１４  画像処理部
２    表示部
２１  画面
３    筐体
４    リモコン受光部（受付部）
５    検出部
５１  センサ（検出器）
５２  センサ検知部（出力部）
５３  ＣＰＵ（生成部、算出部）
６    記憶部
７    円形マーク
８    矢印マーク
【図１】
2014072771.tif 000003
【図２】
2014072771.tif 000004
【図３】
2014072771.tif 000005
【図４】
2014072771.tif 000006
【図５】
2014072771.tif 000007
【図６】
2014072771.tif 000008